(57)【要約】【課題】光ディスク装置として性能が安定して確保され、かつ、外部からの振動・衝撃に対してピックアップモジュールを保護し、小型・軽量な光ディスク装置を提供することを目的とする。【解決手段】光ディスク装置において、ピックアップモジュールのピックアップ１と制御基板３はフレキシブルケーブル６で接続され、制御基板３はシャーシ２に固定されており、ピックアップモジュールのフレーム５はシャーシ２にのみ複数の弾性体７を介して柔軟に固定され、ピックアップ１と制御基板３を接続するケーブルが、シャーシ２とピックアップモジュールで包み込まれるように配置されている弾性体７を介して固定されたシャーシ２を、本装置が組みつけられる装置に固定することにより、ピックアップ１が受ける振動を小さく抑制することが可能となり、また、装置全体を小型・軽量に構成することが可能となる。【選択図】図１
2006302438.tif 000002
【特許請求の範囲】
【請求項１】
レーザー発光、受光素子とレーザー光を光ディスク記録面に焦点を合わせるレンズを有し、光ディスク記録面の情報を読み取るピックアップが摺動可能に取り付けられ、前記光ディスクを保持しながら回転させるスピンドルモーターが配置されたフレームを有するピックアップモジュールと、前記光ディスクから前記ピックアップモジュールが受け取った電気信号を増幅し、前記ピックアップモジュールの摺動を制御するための制御基板とを有し、前記ピックアップモジュールと前記制御基板はフレキシブルなケーブルで接続され、前記制御基板はシャーシに固定されており、前記ピックアップモジュールは前記シャーシにのみ複数の弾性体を介して柔軟に固定され、前記ピックアップモジュールと前記制御基板を接続する前記ケーブルが、前記シャーシと前記ピックアップモジュールで包み込まれるように配置されていることを特徴とする光ディスク装置。
【請求項２】
ピックアップモジュールを柔軟に固定している弾性体が管状であり、光ディスク装置を搭載するキャビネットに有する突起に、前記弾性体の管状の内側を貫通させることにより前記キャビネットに装着することを特徴とする請求項１記載の光ディスク装置。
【請求項３】
ピックアップモジュールを柔軟に固定している管状の弾性体の外周部にクビレ２ケを有し、１ケ所のクビレにピックアップモジュールのフレームが固定され、もう一箇所のクビレにシャーシが固定されることを特徴とする請求項１記載の光ディスク装置。
【請求項４】
ピックアップモジュールに光ディスクを装着した状態で、制御基板およびフレームが前記光ディスクの外周より突出しないことを特徴とする請求項１記載の光ディスク装置。
【請求項５】
キャビネットに固定した状態で、弾性体部のみがキャビネットと接触し、その他のフレーム、ピックアップモジュールなどすべてが前記キャビネットと接触しないことを特徴とする請求項１記載の光ディスク装置。
【請求項６】
シャーシが金属材料で構成されていることを特徴とする請求項１記載の光ディスク装置。
【請求項７】
弾性体が３ケで構成される請求項２記載の光ディスク装置。
【発明の詳細な説明】
【技術分野】
【０００１】
本発明は、ＣＤ（Compact Disc）やＤＶＤ（Digital Versatile Disk）といった記録媒体を使用する光ディスク装置に関し、詳しくはノート型パソコンや、携帯型ＤＶＤプレイヤーなどの小型携帯型装置の一部として組み込まれる光ディスク装置に関するものである。
【背景技術】
【０００２】
近年、ＤＶＤやＣＤなどの光ディスク記録媒体に映像・情報を保存し、さまざまな場所で利用されるようになってきている。これにともない、小型で搬送可能なノート型パーソナルコンピューターなどにも光ディスク装置を搭載するようになってきている。そのため、これらに搭載する光ディスクドライブ装置自体の小型・軽量化が望まれている。
【０００３】
一方、光ディスクの記録容量は年々増加し、また、読み取り速度は年々高速化されてきており、光ディスク装置を高精度に組み立て、組み立てられた装置個々に性能が発揮できるように制御基板の設定値を調整することが必要になっている。光ディスク装置内のピックアップモジュールと制御基板を連結するフレキシブルなケーブルの摺動抵抗の微妙な違いもこれらの調整機能によって、装置毎に最適な調整がほどこされている。これらの理由により、光ディスク装置は通常、ピックアップモジュールからのフレキシブルケーブルなどが、光ディスク装置の輸送、取り付け時に状態が変化しないように複数のシャーシで保護されている。
【０００４】
図６はノート型パソコンなどの携帯型情報処理装置に搭載される従来の光ディスク装置の外観斜視図、図７は光ディスク装置を搭載した携帯型情報処理装置の外観斜視図、図８は携帯型情報処理装置の底ケースを取り外した状態を底面側から見た平面図を示している。図において、６１はレーザー発光、受光素子とレーザー光を光ディスク記録面に焦点を合わせるレンズ等を有し、光ディスク記録面の情報を読み取るピックアップであり、フレーム６５に摺動可能なように取り付けられている。６４は光ディスクを装着し回転させるスピンドルモーターであり、前述のフレーム６５に固定されている。この状態でピックアップモジュールを構成する。フレーム６５は複数の弾性体（図示せず）によりトレイケース６２に固定されている。ピックアップ６１からの読み取り信号は、トレイケース６２に固定されたアンプ回路基板までフレキシブルな信号線で接続されている（図示せず）。トレイケース６２の底面側にはシャーシ（図示せず）が固定されており、前述のピックアップ６１からの信号線を保護するように配置されている。アンプ回路基板からの信号線は、フレキシブルケーブル６６によって制御基板６３まで接続されている。制御基板６３はドライブケース６９に固定されており、制御基板６３上のインターフェイスコネクタ６８によって、携帯型情報処理装置の回路基板（図示せず）と接続される。携帯型情報処理装置などへの光ディスク装置の固定は、ドライブケース６９の一部に固定した金具６７を介して携帯型情報処理装置に固定されることが一般的であった。図７は従来の光ディスク装置を搭載した携帯型情報処理装置の一例であり、図８は携帯型情報処理装置の外郭カバーを取り外した状態を示している。以下、従来の光ディスク装置について、携帯型情報処理装置に搭載された例をもとに、その動作を説明する。
【０００５】
図７において、携帯型情報処理装置本体７１の左側面に、ＣＤ−ＲＯＭまたはＤＶＤ−ＲＯＭなどの光ディスク装置が搭載されており、ディスクイジェクトボタン７２を押すことにより図示のようにピックアップモジュールが搭載されたトレイケース６２がスライドして飛び出す。これにより、ディスク７３の装着が可能となる。携帯型情報処理装置の内部では、図８に示すようにドライブケース６９に固定されたインターフェイスコネクタ６８によって、携帯型情報処理装置の回路基板８１と光ディスク装置の制御基板からの信号を接続しており、これにより、光ディスク装置から読み取った情報を携帯型情報処置装置の回路基板８１へ伝達することができる。
【０００６】
また、特許文献１のように、光ディスク装置を、携帯型情報処理装置の筐体に直接または緩衝材を介して固定するものもある。
【特許文献１】特開２００４−３２６４９９号公報
【発明の開示】
【発明が解決しようとする課題】
【０００７】
しかしながら、このような従来の光ディスク装置では、ピックアップモジュールを固定しているトレイケース６２が、ドライブケース６９の内部へ収納された状態では、トレイケース６２が不安定な接触によってドライブケース６９に固定されているため、外部からの振動がある状態での使用では、トレイケース６２がドライブケース６９との間での振動を助長するため、光ディスク装置の読み書きの特性を確保することが困難であった。この特性劣化を防止するために、トレイケースや、ドライブケースを搭載する携帯型情報処理装置のキャビネットに対して、さらに弾性体で保持することが行われることが一般的であるが、この場合、ピックアップモジュールとトレイケースの間に介在している弾性体との間で、弾性体の共振現象が発生し、特性の良化を望めないという問題点もあった。
【０００８】
また、特許文献１のように、光ディスク装置を、携帯型情報処理装置の筐体に直接または緩衝材を介して固定する方法も考えられるが、この場合は光ディスク装置としての性能は、携帯型情報処理装置などに組み込んだ状態でのみ確保することができるものであり、携帯型情報処理装置などに組み込んだ後に、ピックアップが摺動する際の摩擦抵抗などの種々要因に合わせて特性を調整することは不可能である。
【０００９】
本発明は光ディスク装置として性能が安定して確保され、かつ、外部からの振動・衝撃に対してピックアップモジュールを保護することのできる、小型・軽量な光ディスク装置を提供することを目的とする。
【課題を解決するための手段】
【００１０】
上記課題を解決するために、本発明の光ディスク装置は、レーザー発光、受光素子とレーザー光を光ディスク記録面に焦点を合わせるレンズを有し、光ディスク記録面の情報を読み取るピックアップが摺動可能に取り付けられ、光ディスクを保持しながら回転させるスピンドルモーターが配置されたフレームを有するピックアップモジュールと、光ディスクからピックアップモジュールが受け取った電気信号を増幅し、ピックアップモジュールの摺動を制御するための制御基板とを有し、ピックアップモジュールと制御基板はフレキシブルなケーブルで接続され、制御基板はシャーシに固定されており、ピックアップモジュールは前述のシャーシにのみ複数の弾性体を介して柔軟に固定され、ピックアップモジュールと制御基板を接続するケーブルが、シャーシとピックアップモジュールで包み込まれるように配置されていることを特徴とするものであり、ピックアップの摺動に対する影響要素はすべて本装置で完結するように構成されており、光ディスク装置としての特性を、本装置を組み付ける装置に関係なく安定して確保することが可能となり、弾性体を介して固定されたシャーシを、本装置が組み付けられる携帯型情報処理装置などに固定することにより、ピックアップモジュールが受ける振動を小さく抑制することが可能となる。
【発明の効果】
【００１１】
本発明によれば、光ディスク装置としての性能が安定して確保され、かつ、外部からの振動・衝撃に対してピックアップモジュールを保護し、小型・軽量な光ディスク装置を提供することができる。
【発明を実施するための最良の形態】
【００１２】
本発明の請求項１に記載の発明は、レーザー発光、受光素子とレーザー光を光ディスク記録面に焦点を合わせるレンズを有し、光ディスク記録面の情報を読み取るピックアップが摺動可能に取り付けられ、光ディスクを保持しながら回転させるスピンドルモーターが配置されたフレームを有するピックアップモジュールと、光ディスクからピックアップモジュールが受け取った電気信号を増幅し、ピックアップモジュールの摺動を制御するための制御基板とを有し、ピックアップモジュールと制御基板はフレキシブルなケーブルで接続され、制御基板はシャーシに固定されており、ピックアップモジュールは前述のシャーシにのみ複数の弾性体を介して柔軟に固定され、ピックアップモジュールと制御基板を接続するケーブルが、シャーシとピックアップモジュールで包み込まれるように配置されていることを特徴とする光ディスク装置であり、ピックアップの摺動に対する影響要素はすべて本装置で完結するように構成されており、光ディスク装置としての特性を、本装置を組み付ける装置に関係なく安定して確保することが可能となり、弾性体を介して固定されたシャーシを、本装置が組み付けられる携帯型情報処理装置などに固定することにより、ピックアップモジュールが受ける振動を小さく抑制することが可能となる。
【００１３】
本発明の請求項２に記載の発明は、請求項１の光ディスク装置において、ピックアップモジュールを柔軟に固定している弾性体が管状であり、本装置を搭載するキャビネットに有する突起に、前述の管の内側を貫通させることが可能であることを特徴とするものであり、本装置をノート型パソコンなどの携帯型情報処理装置に搭載固定する場合、この管状の弾性体をノート型パソコンのキャビネットに配置された突起物に貫通させるように装着することで、ノート型パソコンなどの携帯型情報処理装置に加わった振動衝撃を、光ディスク装置に伝えにくくするという作用を有する。
【００１４】
本発明の請求項３に記載の発明は、請求項１の光ディスク装置において、ピックアップモジュールを柔軟に固定している管状の弾性体の外周部にクビレ２ケを有し、１ケ所のクビレにピックアップモジュールのフレームが固定され、もう一箇所のクビレにシャーシが固定されることを特徴とするものであり、ピックアップモジュールとシャーシの固定と、防振を前述の弾性体のみで実現することが可能となり、より小型で軽量な光ディスク装置の作成が可能となる。
【００１５】
本発明の請求項４に記載の発明は、請求項１の光ディスク装置において、ピックアップモジュールに光ディスクを装着した状態で、制御基板、フレームが光ディスクの外周より突出しないことを特徴とするものであり、本光ディスク装置を携帯型情報処理装置に搭載する際に、ディスク回転中心軸を中心にして、光ディスク装置をさまざまな角度で配置することが可能となり、本光ディスク装置を搭載する携帯型情報処理装置などのレイアウト設計の自由度を高めるという作用を有する。
【００１６】
本発明の請求項５に記載の発明は、請求項１の光ディスク装置において、本装置が搭載されるキャビネットに固定した状態で、弾性体部のみがキャビネットと接触し、その他のフレーム、ピックアップモジュールなどすべてがキャビネットと接触しないことを特徴とするものであり、本光ディスク装置を搭載する携帯型情報処理装置などが受けた振動・衝撃が、本光ディスク装置に伝播されにくくするという作用を有する。
【００１７】
本発明の請求項６に記載の発明は、請求項１の光ディスク装置において、シャーシが金属材料で構成されていることを特徴とするものであり、光ピックアップからのフレキシブルなケーブルへの電磁波ノイズの進入を防ぐ作用を有する。
【００１８】
本発明の請求項７に記載の発明は、請求項２の光ディスク装置において、弾性体が３ケで構成されることを特徴とするものであり、本光ディスク装置が固定される装置に歪みが加わった場合でも、光ディスク装置には歪が加わらないという作用を有する。
【００１９】
以下本発明の光ディスク装置について、本装置がノート型パソコンなどの携帯型情報処理装置に搭載された例として図面に基づき詳細を説明する。
【００２０】
（実施の形態１）
図１は本発明の光ディスク装置の一実施の形態を示す外観斜視図、図２はその分解状態を示す斜視図である。図において、１はレーザー発光、受光素子とレーザー光を光ディスク記録面に焦点を合わせるレンズ等を有し、光ディスク記録面の情報を読み書きするためのピックアップであり、フレーム５に摺動可能なように固定され、光ディスクを保持しながら回転させるためのスピンドルモーター４を、フレーム５に固定して、ピックアップモジュールを構成している。フレーム５の外周部にはＵ字状の切欠き５ａをもった突起部が３ケ所設けられており、２ケ所のくびれた形状を持つ管状の弾性体７の上部のクビレ７ａ部分が切欠き５ａにそれぞれ嵌め込み固定されている。弾性体７のもう一方のクビレ７ｂ部分は、シャーシ２の３ケ所の孔２ａに嵌め込みそれぞれ固定され、その結果、ピックアップモジュールが弾性体７を介してシャーシ２に固定される。３は光ディスク装置の制御基板であり、摺動するピックアップ１とフレキシブルケーブル６で接続されている。制御基板３には、ピックアップ１からの電気信号を増幅する回路が搭載されており、インターフェイスコネクタ８から、本光ディスク装置を搭載する携帯型情報処理装置などへ電気接続を実現することができる。制御基板３は、前述のシャーシ２に固定されており、シャーシ２の制御基板搭載部の一部には穴（図示せず）が設けられており、制御基板３を固定した状態でも、シャーシ２の穴を貫通して、制御基板３の回路信号を検知できるテストポイントに接触棒を接触させることができるようになっている。ピックアップ１と制御基板３を電気的に接続するフレキシブルケーブル６は、フレーム５とシャーシ２に挟み込まれた空間内で処理され、ピックアップ１の摺動に合わせて、フレキシブルケーブル６もこの空間の中を移動する。シャーシ２とピックアップ摺動面は概略並行に配置されている。
【００２１】
図３は本発明の光ディスク装置の一例を天面側からみた平面図であり、シャーシ２、および、制御基板３は、光ディスクを装着した場合、光ディスク装着時の外形９より突出しないような形状となっている。
【００２２】
図４は本発明の光ディスク装置を搭載した、携帯型情報処理装置４１の外観斜視図を示しており、ディスクカバー４２が取り付けられ、ピックアップモジュールの天面側を開閉する構造となっている。
【００２３】
図５は光ディスク装置の携帯型情報処理装置本体４１への取り付け部の断面詳細図を示している。図において、５１は携帯型情報処理装置の上ケースであり、５２は下ケースを示している。５３は携帯型情報処理装置の上ケース５１に配置されたボスであり、本発明の光ディスク装置の管状の弾性体７を貫通して、携帯型情報処理装置の下ケース５２から貫通したねじ５４で固定されている。本発明の光ディスク装置のシャーシ２とピックアップ１を含むピックアップモジュールと携帯型情報処理装置本体４１は、それぞれ弾性体７を介してのみ接触している。
【００２４】
以下、本発明の光ディスク装置について、その動作を説明する。
【００２５】
図２において、本光ディスク装置は、シャーシ２とピックアップ１が摺動可能に取り付けられたフレーム５は、ピックアップ１からのフレキシブルケーブル６を挟み込むように一定距離で配置されていることから、ピックアップ１の摺動によるフレキシブルケーブル６の摺動抵抗は、光ディスク装置自体で安定している。この状態で光ディスク装置を動作させ、シャーシ２底面の穴から、光ディスク装置の制御基板３上の信号レベルを検出することにより、組み立てられたピックアップモジュールの特性おのおのに対して、制御定数を調整することが可能となる。つまり、本光ディスク装置を組み付ける携帯型情報処理装置などの影響を受けにくい小型・軽量な光ディスク装置を実現することが可能となる。
【００２６】
また、本発明の一例に示すように、本光ディスク装置を携帯型情報処理装置などに、本装置の管状の弾性体７を貫通して固定することにより、ピックアップモジュール、および、光ディスク装置のシャーシ２部分を含む全体を、搭載する携帯型情報処理装置に対して、同一の弾性体７を介して固定することが可能となり、弾性体の共振による振動・衝撃の吸収ロスを排除した衝撃吸収構造を提供することが可能となる。
【００２７】
また、本発明事例のように、前述の弾性体７を３ケ所でのみ固定することで、携帯型情報処理装置に歪みが加わった場合であっても、ピックアップモジュール部に歪みが加わらないため、携帯型情報処理装置のように、外圧に接する機会が多い機器であっても、光ディスク装置の性能に影響を与えることなく使用可能である。
【産業上の利用可能性】
【００２８】
本発明にかかる光ディスク装置は、装置としての性能が安定して確保され、かつ、外部からの振動・衝撃に対してピックアップモジュールを保護し、小型・軽量化が可能になる
ので、ＣＤやＤＶＤドライブといった光ディスク装置を内蔵するノート型パソコンなどの携帯型情報処理装置や、携帯型ＤＶＤプレイヤーなどの小型携帯型装置の一部として組み込まれる光ディスク装置として有用である
【図面の簡単な説明】
【００２９】
【図１】本発明の一実施の形態としての光ディスク装置の外観斜視図
【図２】本発明の一実施の形態としての光ディスク装置の分解斜視図
【図３】本発明の一実施の形態としての光ディスク装置の天面側より見た平面図
【図４】本発明の一実施形態としての光ディスク装置を搭載した携帯型情報処理装置の外観斜視図
【図５】ディスク装置の携帯型情報処理装置本体への取り付け部の断面詳細図
【図６】従来の光ディスク装置の外観斜視図
【図７】従来の光ディスク装置を搭載した携帯型情報処理装置の外観斜視図
【図８】携帯型情報処理装置の底ケースを取り外した状態を底面側から見た平面図
【符号の説明】
【００３０】
１  ピックアップ
２  シャーシ
３  制御基板
４  スピンドルモーター
５  フレーム
６  フレキシブルケーブル
７  弾性体
８  インターフェイスコネクタ
９  光ディスク装着時の外形
４１  携帯型情報処理装置本体
４２  ディスクカバー
５１  上ケース
５３  ボス
５４  ねじ
【図１】
2006302438.tif 000003
【図２】
2006302438.tif 000004
【図３】
2006302438.tif 000005
【図４】
2006302438.tif 000006
【図５】
2006302438.tif 000007
【図６】
2006302438.tif 000008
【図７】
2006302438.tif 000009
【図８】
2006302438.tif 000010